(57)【特許請求の範囲】
【請求項１】
光ディスクが載置されるトレイに駆動用ラックと切換案内部とを形成し、前記駆動用ラックとドライブギアとを噛合させて前記トレイを出入させるとともに、前記切換案内部によりカムレバーを変位させて前記ドライブギアに前記カムレバーのラックを噛合させることによって前記光ディスクをチャッキングするまたはその状態を解除するディスクローディング装置において、
前記切換案内部を前記駆動用ラックと同じ側でかつ前記駆動用ラックより外側に形成するとともに、前記駆動用ラックの終端位置近傍を一部欠落させ、その欠落位置に前記切換案内部を接続するようにしたことを特徴とする、ディスクローディング装置。
【請求項２】
前記カムレバーに係合して前記トレイの動きを規制する規制溝を前記トレイに形成した、請求項１記載のディスクローディング装置。
【発明の詳細な説明】
【０００１】
【産業上の利用分野】
この発明はディスクローディング装置に関し、特にたとえばディスクモータが固定的に設けられるドライブシャーシをメインシャーシに接離させることによって、光ディスクのチャッキング動作を行なう、ディスクローディング装置に関する。
【０００２】
【従来の技術】
この種の従来のディスクローディング装置の一例が、平成６年１月１２日に出願公告された特公平６−３６６０号公報によって開示されている。この従来技術は、再生すべき光ディスクが載置されるトレイの下面に、ドライブギアに噛合するラック（駆動用ラック）と、そのラックに対しドライブギアを噛合または離反させる長溝とを近接配置し、ドライブギアとラックとの噛合が終了するとき、ドライブギアを昇降ラックギアに噛合させて、チャッキング動作を行なうようにしたものである。しかして、この従来技術によれば、共通のドライブギアでトレイの駆動とチャッキング動作とを行なって、取り付け構造の簡略化を図ることができる。
【０００３】
しかしながら、上述の公報に開示されるように、このディスクローディング装置が装置内スペースに比較的余裕のあるＬＤプレーヤなどに適用される場合には問題はないが、ラックと長溝とを近接配置することが困難な小型のＣＤプレーヤなどには適用できないといった欠点があった。
これに対し、図５〜図７に示されるディスクローディング装置では、トレイ１の下面の一方端側にドライブギア２ａに噛合するラック１ａを設けるとともに、その他端側に案内リブ１ｂとカム溝１ｃとを設け、ラック１ａとドライブギア２ａとを噛合させてトレイ１を出入させるとともに、ドライブギア２ａとラック１ａとの噛合が終了するまたは終了しようとするとき、カムレバー３のラック３ｂとドライブギア２ｂとの噛合を開始して、チャッキング動作を行なうように構成している。
【０００４】
つまり、チャッキングを開始してもよい位置までトレイ１が挿入されると、カムレバー３に設けられたピン３ａが、トレイ１のカム溝１ｃによって、図５において左方向（外側）へ案内される。すると、カムレバー３が、図６において左方向へ牽引されて、カムレバー３のラック３ｂとドライブギア２ｂとの噛合が開始される。ドライブギア２ｂは、ドライブギア２ａとともに図６において矢印で示す方向に回転しているので、図６（Ｂ）に示すように、カムレバー３は変位することになる。
【０００５】
さらに、カムレバー３の側面には、図７に示すように、カム溝３ｃが形成され、このカム溝３ｃとリンク４のホロワピン４ａとが互いに係合するように構成される。したがって、ドライブギア２ｂとラック３ｂとの噛合により、カムレバー３が変位すると、ホロワピン４ａは、カム溝３ｃの第１位置Ｃ１から第２位置Ｃ２に案内されて、図８に示すように、リンク４がメインシャーシ７に対し軸心Ｏ回りに揺動し、ドライブシャーシ６は、メインシャーシ７に接近する方向に揺動する。つまりチャッキング動作が行なわれる。なお、メインシャーシ７には、カムレバー３のラック３ｃに噛合する第３ギア８が設けられ、第３ギア８のピン８ａとトレイ１の案内リブ１ｂとを係合させることによって、カムレバー３が不意に変位してチャッキングが開始されるのは防止される。
【０００６】
【発明が解決しようとする課題】
トレイの駆動とチャッキング動作とが共通のドライブギアによって行われる上述の従来技術では、トレイ１がその出入方向に対して斜めに挿入されたとき、ラック１ａの終端位置における位相と、カムレバー３（カム溝３ｃ）による切り換えの位相とが逆転し、トレイ１が完全に挿入されていない状態でチャッキング動作が開始されるといった問題があった。また、トレイ１を引き出す際にも、その位相の逆転によって、チャッキングされた状態が解除されていないにも拘らず、トレイ１の引き出し（駆動）が開始されて、光ディスクを取り出せないといった問題もあった。
【０００７】
それゆえに、この発明の主たる目的は、ＣＤプレーヤなどのように装置内スペースが制限されているものにも適用でき、トレイの駆動とチャッキング動作とを共通のドライブギアで確実に行うことができる、ディスクローディング装置を提供することである。
【０００８】
【課題を解決するための手段】
この発明は、光ディスクが載置されるトレイに駆動用ラックと切換案内部とを形成し、駆動用ラックとドライブギアとを噛合させてトレイを出入させるとともに、切換案内部によりカムレバーを変位させてドライブギアにカムレバーのラックを噛合させることによって光ディスクをチャッキングするまたはその状態を解除するディスクローディング装置において、切換案内部を駆動用ラックと同じ側でかつ駆動用ラックより外側に形成するとともに、駆動用ラックの終端位置近傍を一部欠落させ、その欠落位置に切換案内部を接続するようにしたことを特徴とする、ディスクローディング装置である。
【０００９】
【作用】
ドライブギアと駆動用ラックとの噛合によって、トレイの出入は可能にされる。そして、駆動用ラックとドライブギアとの噛合が終了するときまたは終了しようとするとき、切換案内部によって、カムレバーは、カムレバーのラックをドライブギアに噛合させる方向に変位する。そして、カムレバーのラックとドライブギアとが噛合して、カムレバーは所定位置に変位する。このカムレバーの動きは、ドライブシャーシの昇降方向の動きに変換され、それによって、光ディスクのチャッキング動作が行われる。
【００１０】
また、チャッキング動作を行なうための切換案内部を駆動用ラックの終端位置近傍に接続し、トレイの出入方向から見て、駆動用ラックの終端位置と切換案内部による切換位置とが近接するように構成したので、トレイがその出入方向に対し斜めに挿入された場合であっても、駆動用ラックとドライブギアとの噛合が終了するタイミングと、切換案内部によるチャッキング動作の開始タイミングとを逆転させることなく、トレイの駆動およびチャッキング動作は行い得る。またトレイを引き出す際でも、その位相の逆転は生じない。
【００１１】
さらに、カムレバーが変位することによって、カムレバーの一部がトレイの規制溝に係合して、トレイの出入方向の動きは規制される。
【００１２】
【発明の効果】
この発明によれば、トレイの駆動とチャッキング動作とを独立して共通のドライブギアで行うことができる。しかも、駆動用ラックの一部を切り欠いて、その位置に切換案内部を接続するようにしたので、他の構成部品の妨げとなることなく、駆動用ラックと切換案内部とを配置できる。
【００１３】
また、光ディスクがチャッキングされた状態において、カムレバーの一部が規制溝に係合しているので、駆動用ラックとドライブギアとが不意に噛合して、トレイの駆動が開始されることはない。
この発明の上述の目的，その他の目的，特徴および利点は、図面を参照して行う以下の実施例の詳細な説明から一層明らかとなろう。
【００１４】
【実施例】
図１を参照して、この実施例のディスクローディング装置１０は、上面に１２cmおよび８cmのいずれかの光ディスク（図示せず）が載置されるトレイ１２と、トレイ１２を出入可能に支持するメインシャーシ１４と、メインシャーシ１４に接離可能に設けられるかつその上面に光ディスクの回転数を制御するディスクモータ１６（ターンテーブル１８）およびピックアップ２０等が固定的に設けられるドライブシャーシ２２とを含む。この実施例では、図１からもよくわかるように、ドライブシャーシ２２の一方端縁をメインシャーシ１４にボルトなどの固定具２４によって固定し、その一方端縁側を軸として、ドライブシャーシ２２をメインシャーシ１４に接離させるように構成される（図８参照）。
【００１５】
トレイ１２の略中央には、図２に示すように、略矩形の窓２８が形成されるとともに、図２（Ａ）に示すトレイ１２の一方面（上面）には、光ディスクに対応するリブ２６ａおよび２６ｂが形成されて、リブ２６ａに１２cm光ディスクを、リブ２６ｂに８cm光ディスクを、それぞれ係合させる。一方、図２（Ｂ）に示すトレイ１２の他方面（下面）すなわちトレイ１２が挿入された状態でドライブシャーシ２２に対向する面には、その両端に溝３０ａおよび３０ｂが形成され、溝３０ａに図３に示す突部３２ａが、溝３０ｂに突部３２ｂが、それぞれ係合してトレイ１２の出入の際のがたつきは抑制される。そして、この溝３０ａに隣接するようにして、トレイ１２の出入方向に延びる案内溝３４が形成される。
【００１６】
案内溝３４の内側（図２において案内溝３４の左側）であり案内溝３４から僅かに離間した位置には、歯が内側に向かって形成されるかつ案内溝３４と平行となるラック（駆動用ラック）３６が形成され、このラック３６と後述するドライブギア３８とを噛合させることによって、トレイ１２の出入は可能にされる。そして、図２（Ｂ）からもよくわかるように、案内溝３４の一方端とラック３６の一部とが、切換案内部としてのカム溝４０によって接続される。つまり、ラック３６とドライブギア３８との噛合に悪影響を及ぼさない範囲で、ラック３６の終端位置近傍を一部（たとえば歯１つ分）欠落させ、その欠落位置にカム溝４０を接続するように構成する。
【００１７】
さらに、トレイ１２の他端側には、溝３０ｂと直交する方向に延びる固定溝４２が設けられる。そして、このように形成されるトレイ１２が、ラック３６とドライブギア３８との噛合によって、図１に示す位置関係でメインシャーシ１４に出入される。
図３を参照して、メインシャーシ１４の先端側には、正逆方向に回転可能な駆動モータ４４が設けられ、この駆動モータ４４の駆動力が、ベルト４６を介して、駆動ギア４８に伝達される。そして、この駆動ギア４８に関連して、それに噛合し軸芯Ｏ回りに回転する第１ギア５０が設けられる。この第１ギア５０と同軸上には、ギア比の異なるドライブギア３８および５２が、それぞれ設けられ、この実施例では、図４に示すように、上からドライブギア３８，第１ギア５０，ドライブギア５２の順で軸芯Ｏに固定される。
【００１８】
メインシャーシ１４の略中央には矩形状の窓５４が形成され、この窓５４にドライブシャーシ２２が接離される。上述したように、この実施例では、ドライブシャーシ２２の一方端縁をメインシャーシ１４に揺動可能に固定し、その他方端縁側を窓５４（メインシャーシ１４）に接離させるように構成している。
すなわち、ドライブシャーシ２２の他方端側には、リンク５６が固定的に設けられ、ドライブシャーシ２２とメインシャーシ１４とが、リンク５６を介して、互いに接続される。そして、このリンク５６がメインシャーシ１４に軸受５８を介して接続される。したがって、リンク５６をメインシャーシ１４に対して軸芯Ｏ′回りに揺動させることによって、ドライブシャーシ２２をメインシャーシ１４に接離させることができる。このように、カムレバー６２の動きは、リンク５６によって、ドライブシャーシ２２の昇降方向の動きに変換される。リンク５６には、さらに、カムレバー６２に係合するホロワピン６０が形成される。
【００１９】
カムレバー６２は、その一方端側に、図３に示すように、ドライブギア５２に噛合するラック６４と、略円筒状のピン６６とを含み、このピン６６がトレイ１２の案内溝３４およびカム溝４０に係合する。このピン６６が案内溝３４に係合しているとき、すなわちトレイ１２が所定位置まで挿入されていないときには、ラック６４とドライブギア５２とは噛合しておらず、ピン６６がカム溝４０によって内側（図３において左方向）へ案内されることによって、カムレバー６２が変位し、ラック６４とドライブギア５２とが噛合する。それによって、図３（Ｂ）に示すように、カムレバー６２は、ドライブギア５２によって変位する。
【００２０】
さらに、カムレバー６２の側面には、図４からもよくわかるように、カム溝６８が形成され、このカム溝６８にリンク５６のホロワピン６０が係合される。詳しくは、カムレバー６２のラック６４とドライブギア５２とが噛合していない状態において、ホロワピン６０はカム溝６８の第１位置６８ａにあり、ラック６４とドライブギア５２との噛合によりカムレバー６２が変位すると、ホロワピン６０は、カム溝６８に案内されて第２位置６８ｂに達する。このときホロワピン６０（リンク５６）は、図８（Ｂ）に示すように、ほぼ水平に保たれる。したがって、リンク５６に固定的に設けられるドライブシャーシ２２は、リンク５６によって上方へ牽引され、ドライブシャーシ２２はメインシャーシ１４に最も接近する。つまりチャッキングが行なわれる。
【００２１】
動作において、メインシャーシ１４から引き出されたトレイ１２に再生すべき光ディスクをセットし、たとえばトレイ１２を格納する選択ボタンが押されるまたは再生モードが選択されると、駆動モータ４４に電源が付与されて、ドライブギア３８，第１ギア５０およびドライブギア５２が、図３において矢印で示す方向に駆動される。ドライブギア３８は、トレイ１２が引き出された状態でトレイ１２のラック３６に噛合しているので、トレイ１２は直線的に挿入される。このとき、カムレバー６２に設けられたピン６６は、トレイ１２の案内溝３４をカム溝４０に向かって案内される。また、案内溝３４を形成するリブ７０とピン６６とが係合することによって、カムレバー６２の動きは規制される。
【００２２】
そして、トレイ１２がメインシャーシ１４の所定位置まで挿入され、カムレバー６２のピン６６がトレイ１２のカム溝４０に案内されると、カムレバー６２は、図３において左方向へ変位して、カムレバー６２のラック６４とドライブギア５２との噛合が開始される。つまりチャッキング動作が開始される。このとき、トレイ１２を駆動するドライブギア３８は、トレイ１２のラック３６から離脱し、したがって、トレイ１２の出入は不能化される。すなわち、ドライブギア３８とラック３６との噛合が終了したとき、カムレバー６２のピン６６が、カム溝４０によって、ラック３６の欠落位置に案内されるように構成する。
【００２３】
ドライブギア５２とラック６４との噛合によって、カムレバー６２は、図３において左方向へ変位し、それによってリンク５６のホロワピン６０が、カム溝６８の第１位置６８ａから第２位置６８ｂに案内される。したがって、リンク５６は、メインシャーシ１４に対し軸芯Ｏ′回りに揺動し、リンク５６に固定的に設けられるドライブシャーシ２２は、その一方端縁を軸としてメインシャーシ１４に接近する方向へ揺動する。このように、トレイ１２の駆動が終了した後に、光ディスクのチャッキングは行われる。また、トレイ１２上の光ディスクがチャッキングされた状態において、カムレバー６２の係合部７２がトレイ１２の固定溝４２に係合して、トレイ１２の出入方向の動きは規制される。
【００２４】
再生処理が終了し、たとえば光ディスクを取り出す（トレイ１２を引き出す）選択ボタンが押されると、駆動モータ４４は先程とは逆方向に回転し、ドライブギア５２とラック６４との噛合によって、カムレバー６２は、図３において右方向へ変位する。したがって、ホロワピン６０は、カム溝６８の第２位置６８ｂから第１位置６８ａに案内され、それによってドライブシャーシ２２は、図８（Ａ）に示すように、メインシャーシ１４から離間する方向へ揺動される。つまりチャッキング状態は解除される。
【００２５】
カムレバー６２が変位することによって、カムレバー６２のラック６４は、ドライブギア５２から離脱し、一方、カムレバー６２のピン６６は、トレイ１２のカム溝４０を案内溝３４に向かって案内される。カム溝４０は、図２からもよくわかるように、右上がりに傾斜するため、カム溝４０を形成するリブ７４とピン６６とが係合することによって、トレイ１２は、ピン６６に押圧されてトレイ１２の引き出し方向へ変位する。これによって、トレイ１２のラック３６とドライブギア３８との噛合が再び開始されて、トレイ１２は引き出される。つまり、トレイ１２の駆動が開始される。
【００２６】
この実施例では、切換案内部（カム溝４０）を駆動用ラック（ラック３６）の一部を切り欠いた位置（欠落位置）に接続し、トレイ１２の出入方向から見て、駆動用ラックの終端位置と切換案内部による切換位置（チャッキング動作が開始または終了する位置）とが近接するように構成したので、トレイ１２がその出入方向に対し斜めに出入される場合であっても、駆動用ラックとドライブギアとの噛合が終了または開始するタイミングと、切換案内部によるチャッキング動作が開始または終了するタイミングとを逆転させることなく、トレイの駆動およびチャッキング動作を独立して行なうことができる。しかも他の構成部品の配置を制約することもない。
【００２７】
また、光ディスクがチャッキングされた状態において、カムレバー６２の一部（７２）と規制溝（固定溝４２）とを互いに係合させるようにしたので、チャッキング動作中に駆動用ラック（ラック３６）とドライブギア３８とが不意に噛合して、トレイ１２の駆動が開始されることはない。
【図面の簡単な説明】
【図１】この発明の一実施例を示す斜視図である。
【図２】図１実施例のトレイであって、（Ａ）に光ディスクが載置される上面側を示し、（Ｂ）に下面側を示す。
【図３】図１実施例の主要拡大平面図であって、（Ａ）はチャッキングされていない状態を示し、（Ｂ）はチャッキングされた状態を示す。
【図４】図１実施例のカムレバーを示す側面図である。
【図５】従来技術のトレイの下面側を示す図解図である。
【図６】従来技術の主要拡大平面図であって、（Ａ）はチャッキングされていない状態を示し、（Ｂ）はチャッキングされた状態を示す。
【図７】従来技術のカムレバーを示す側面図である。
【図８】メインシャーシに接離可能に設けられたドライブシャーシを示す正面図であって、（Ａ）はチャッキングされていない状態を示し、（Ｂ）はチャッキングされた状態を示す。
【符号の説明】
１０  …ディスクローディング装置
１２  …トレイ
１４  …メインシャーシ
２２  …ドライブシャーシ
３４  …案内溝
３６，６４  …ラック
３８，５２  …ドライブギア
４０，６８  …カム溝
４２  …固定溝
４４  …駆動モータ
５６  …リンク
６０  …ホロワピン
６２  …カムレバー
６６  …ピン
【図１】
0003743111.tif 000002
【図２】
0003743111.tif 000003
【図３】
0003743111.tif 000004
【図４】
0003743111.tif 000005
【図５】
0003743111.tif 000006
【図６】
0003743111.tif 000007
【図７】
0003743111.tif 000008
【図８】
0003743111.tif 000009